(57)【特許請求の範囲】
【請求項１】
セクタアドレス及び管理データ信号と、２値のディジタル信号列とされた情報信号である、スクランブルされたユーザデータとからなるセクタ単位で螺旋状又は同心円状のトラックに信号記録を行う情報信号記録方法において、
前記管理データ信号又は前記管理データ信号と前記セクタアドレスの極性を反転したときの第１のＤＳＶと、前記管理データ信号又は前記管理データ信号と前記セクタアドレスの極性を反転しないときの第２のＤＳＶとをそれぞれ計算する第１のステップと、
前記第１のステップにより計算された前記第１及び第２のＤＳＶを比較し、絶対値が小さい方のＤＳＶに対応した前記管理データ信号又は前記管理データ信号と前記セクタアドレスを選択する第２のステップと、
前記第２のステップで選択されて取り出された信号に少なくとも前記ユーザデータを時系列的に合成して前記セクタ単位の信号を記録信号として生成して出力する第３のステップと、
前記第３のステップで生成された前記記録信号を記録媒体に前記トラックを形成して記録する第４のステップと
を含むことを特徴とする情報信号記録方法。
【請求項２】
２値のディジタル信号列とされた情報信号であるユーザデータをセクタ毎にスクランブルするスクランブル手段と、
前記ユーザデータ及び前記セクタのアドレスを示すセクタアドレス信号と共に前記セクタを構成する管理データ信号の極性を反転する極性反転手段と、
前記極性反転手段に入力される前記管理データ信号と管理データ信号入力以前の記録信号のＤＳＶを所定期間毎に計算する第１の計算手段と、
前記極性反転手段から出力された前記管理データ信号と管理データ信号入力以前の記録信号のＤＳＶを前記所定期間毎に計算する第２の計算手段と、
前記極性反転手段に入力される前記管理データ信号と前記極性反転手段から出力される前記管理データ信号と前記第１及び第２の計算手段によりそれぞれ計算されたＤＳＶとを入力として受け、前記第１及び第２の計算手段によりそれぞれ計算されたＤＳＶの値を比較し、絶対値が小さい方のＤＳＶに対応する前記管理データ信号を選択する信号選択手段と、
前記スクランブル手段から出力された前記ユーザデータと、前記セクタアドレス信号と、前記信号選択手段により選択された前記管理データ信号とを時系列的に合成して前記セクタ単位の記録信号を生成して出力する加算器と、
前記加算器で生成された前記記録信号を記録媒体に前記トラックを形成して記録する記録手段と
を有することを特徴とする情報信号記録装置。
【請求項３】
２値のディジタル信号列とされた情報信号であるユーザデータをセクタ毎にスクランブルするスクランブル手段と、
前記セクタのアドレスを示すセクタアドレス信号及び前記ユーザデータと共に前記セクタを構成する管理データ信号を、前記セクタアドレス信号に時系列的に合成する第１の加算器と、
前記第１の加算器から出力された第１の合成信号の極性を反転する極性反転手段と、
前記第１の加算器から出力される第１の合成信号と合成信号入力以前の記録信号のＤＳＶを所定期間毎に計算する第１の計算手段と、
前記極性反転手段から出力される第２の合成信号のＤＳＶを前記所定期間毎に計算する第２の計算手段と、
前記第１の加算器から出力される第１の合成信号と、前記極性反転手段から出力される第２の合成信号と前記第１及び第２の計算手段によりそれぞれ計算されたＤＳＶとを入力として受け、前記第１及び第２の計算手段によりそれぞれ計算されたＤＳＶの値を比較し、絶対値が小さい方のＤＳＶに対応する前記第１又は第２の合成信号を選択する信号選択手段と、
前記スクランブル手段から出力された前記ユーザデータと、前記信号選択手段により選択された前記第１又は第２の合成信号とを時系列的に合成して前記セクタ単位の記録信号を生成して出力する第２の加算器と、
前記第２の加算器で生成された前記記録信号を記録媒体に前記トラックを形成して記録する記録手段と
を有することを特徴とする情報信号記録装置。
【請求項４】
セクタアドレス及び管理データ信号と、２値のディジタル信号列とされた情報信号である、スクランブルされたユーザデータとからなるセクタ単位で螺旋状又は同心円状のトラックに信号記録が行われた記録媒体において、
前記管理データ信号又は前記管理データ信号と前記セクタアドレスの極性を反転したときの第１のＤＳＶと、前記管理データ信号又は前記管理データ信号と前記セクタアドレスの極性を反転しないときの第２のＤＳＶのうち、絶対値が小さい方のＤＳＶに対応した前記管理データ信号又は前記管理データ信号と前記セクタアドレスに、少なくとも前記ユーザデータを時系列的に合成して生成された時系列的合成信号が、前記セクタ単位で前記トラックを形成して記録されていることを特徴とする記録媒体。
【発明の詳細な説明】
【０００１】
【発明の属する技術分野】
本発明は情報信号記録方法、情報信号記録装置及び記録媒体に係り、特にセクタアドレスを有する複数のセクタに分割されている光学式記録媒体上の情報トラックに、２値のディジタル信号列からなる情報信号を記録する情報信号記録方法、情報信号記録装置及び記録媒体に関する。
【０００２】
【従来の技術】
一般に、円盤状の光学式記録媒体（すなわち、光ディスク）は、ディスク上のトラックにピット、ランドと呼ばれる凹凸形状の形成により、ディジタル信号が記録されており、ピット及びランドからの反射光が光学ヘッド内の光検出器で受光されて電気信号に変換され、ディスクの記録信号が読み出される。
【０００３】
フォーカシングは、光ディスクの面振れに対して、ピックアップの光学系の対物レンズを追従させるためのものであり、方式としては非点収差法等がある。また、トラッキングは、光ディスクの偏心に対して、光ビームスポットを光ディスク上のトラックに追従させるためのものであり、その方式としては３ビーム法、プッシュプル方式、ヘテロダイン方式等がある。これらのフォーカシング、トラッキングは、２分割又は４分割された光検出器のそれぞれの分割受光部（センサ）の出力信号を演算してフォーカシング制御信号、トラッキング制御信号を得て、これによりサーボ制御することにより行われる。
【０００４】
ピックアップから出射されたレーザビームは、ピット部からの反射光とランド部からの反射光とで位相差が生じ、これによる干渉効果によりピット部とランド部で光検出器に入射する反射光量に差が生じることにより再生信号が得られる。記録されているデータは、ディジタル変調が施された信号がピット、ランドのパターンを形成して記録されている。記録されているデータは、ピット、ランドでの光量変化による再生信号を２値化し、ディジタル復調されてデータが再生される。
【０００５】
ところで、信号の記録方式には、ディスクの角速度が一定な定角速度方式（ＣＡＶ：Constant Angular Velocity）と、線速度が一定な定線速度方式（ＣＬＶ：Constant Linear Velocity）などが知られている。ＣＡＶ方式は、各トラックに含まれるセクタ数が等しく、全トラックに関してディスクの中心からの放射線上にセクタの先頭が完全に一致する構造になっている。一方、ＣＬＶ方式は、線速度が一定のため、全トラックのセクタの先頭が一致することはないが、一部の隣接トラックに関してディスクの中心からの放射線上セクタの先頭が一致する場合がある。
【０００６】
このような状況においては、同一内容の情報、例えば画像情報や音楽情報が記録される場合でいえば、曲間、チャプタ間の無音部、無画像区間などを大量に記録する時に、隣接トラックに同一の形状や配置の記録信号が出現しないようにするために、一般的にはスクランブル操作が講じられている。
【０００７】
ここで、上記のセクタは、図５に示すように、セクタを識別するための情報としてのアドレスを含めたアドレス情報（セクタアドレス信号）Ｓ１と、光ディスクに情報信号を記録したり再生したりするために必要な情報や不正コピーを防止するための情報などを含む管理情報（管理データ信号）Ｓ５と、音楽情報や画像情報などの記録再生情報信号の内容を示すユーザ情報（ユーザデータ）Ｓ３とからなる。
【０００８】
従来の情報信号記録方法及び記録装置では、上記のセクタは、図６（Ａ）に示す構成でスクランブル操作が講じられる。すなわち、図６（Ａ）において、セクタアドレス信号Ｓ１はスクランブル手段１のＭ系列発生器２へ供給されることにより、Ｍ系列発生器２の初期値をセットし、そのＭ系列発生器２からスクランブル信号Ｓ２を発生させる。周知のように、Ｍ系列発生器２からスクランブル信号Ｓ２として発生されるＭ系列符号は、Ｍ系列発生器２がｘ段シフトレジスタと排他的論理和回路を用いて構成されている場合は、０と１がランダムに出現するが、図６（Ｂ）に模式的に示すように２x−１の周期を持つ巡回符号である。
【０００９】
ユーザデータＳ３は、このスクランブル信号Ｓ２と加算器３において、対応するビット同士で２を法とする加算（排他的論理和演算）されることにより、スクランブルが施され、実際に記録媒体（光ディスク）へ記録する記録信号Ｓ４として出力される
【００１０】
【発明が解決しようとする課題】
しかしながら、従来はアドレス情報や各種の管理情報は、光ディスク再生時にいち早く再生しなければならない情報として、スクランブル操作を省略して直ぐに情報判別ができるようにしている。ＤＶＤ（Digital Versatile Disk）においてもアドレス情報、コピープロテクトなどの管理情報、ユーザ情報からセクタが構成されるが、ユーザ情報に対してのみスクランブル操作が講じられる。
【００１１】
また、現在の光ディスクの動向では、益々記録容量の高密度化が図られており、隣接するアドレス情報や環境情報は同一内容の情報であるため、同一内容の情報がディスクの中心からの放射線上に一致している場所に記録される個所も増えることになる。更に、前述したように、ＣＡＶ方式により信号を記録した場合、同一内容の情報が、ディスクの中心からの放射線上に一致している頻度は多くなる。
【００１２】
このような時、隣接トラック間でのピットとランドの形状が一致するため、相関性が高まり、トラッキング誤差信号の振幅が低下して信号対雑音比（Ｓ／Ｎ）が低下し、トラッキング制御が安定に行われないという問題が生じる。
【００１３】
更に、信号変調の点では、アドレス情報や環境情報にスクランブルを講じないため、スクランブルと変調による信号スペクトラムの低域成分抑制に対しては寄与しないという問題もある。
【００１４】
そこで、本発明は以上の点に鑑みてなされたものであり、管理情報及びアドレス情報の極性をトラック毎に反転させることにより、隣接トラック間での相関性を減少し得る情報信号記録方法、情報信号記録装置及び記録媒体を提供することを目的とする。
【００１５】
また、本発明の他の目的は、信号スペクトラムの低域成分の抑制効果を向上し得る情報信号記録方法、情報信号記録装置及び記録媒体を提供することにある。
【００１９】
【課題を解決するための手段】
上記の目的を達成するため、本発明の情報信号記録方法は、セクタアドレス及び管理データ信号と、２値のディジタル信号列とされた情報信号である、スクランブルされたユーザデータとからなるセクタ単位で螺旋状又は同心円状のトラックに信号記録を行う情報信号記録方法において、管理データ信号又は管理データ信号とセクタアドレスの極性を反転したときの第１のＤＳＶと、管理データ信号又は管理データ信号とセクタアドレスの極性を反転しないときの第２のＤＳＶとをそれぞれ計算する第１のステップと、第１のステップにより計算された第１及び第２のＤＳＶを比較し、絶対値が小さい方のＤＳＶに対応した管理データ信号又は管理データ信号とセクタアドレスを選択する第２のステップと、第２のステップで選択されて取り出された信号に少なくともユーザデータを時系列的に合成してセクタ単位の信号を記録信号として生成して出力する第３のステップと、第３のステップで生成された記録信号を記録媒体にトラックを形成して記録する第４のステップとを含むことを特徴とする。
【００２０】
また、上記の目的を達成すため、本発明の情報信号記録装置は、２値のディジタル信号列とされた情報信号であるユーザデータをセクタ毎にスクランブルするスクランブル手段と、ユーザデータ及びセクタのアドレスを示すセクタアドレス信号と共にセクタを構成する管理データ信号の極性を反転する極性反転手段と、極性反転手段に入力される管理データ信号と管理データ信号入力以前の記録信号のＤＳＶを所定期間毎に計算する第１の計算手段と、極性反転手段から出力された管理データ信号と管理データ信号入力以前の記録信号のＤＳＶを所定期間毎に計算する第２の計算手段と、極性反転手段に入力される管理データ信号と極性反転手段から出力される管理データ信号と第１及び第２の計算手段によりそれぞれ計算されたＤＳＶとを入力として受け、第１及び第２の計算手段によりそれぞれ計算されたＤＳＶの値を比較し、絶対値が小さい方のＤＳＶに対応する管理データ信号を選択する信号選択手段と、スクランブル手段から出力されたユーザデータと、セクタアドレス信号と、信号選択手段により選択された管理データ信号とを時系列的に合成してセクタ単位の記録信号を生成して出力する加算器と、加算器で生成された記録信号を記録媒体にトラックを形成して記録する記録手段とを有する構成としたものである。ここで、上記の極性反転手段で極性を反転する信号は、管理データ信号とセクタアドレス信号との時系列的合成信号としてもよい。
【００２１】
上記の本発明の情報信号記録方法及び記録装置では、管理データ信号又は管理データ信号とセクタアドレスの極性を反転したときの第１のＤＳＶと、管理データ信号又は管理データ信号とセクタアドレスの極性を反転しないときの第２のＤＳＶとを比較し、絶対値が小さい方のＤＳＶに対応した管理データ信号又は管理データ信号とセクタアドレスを選択してユーザデータと共に記録するようにしたため、変調信号スペクトラムの低域成分を減少することができると共に、隣接トラック間の管理データ信号記録領域、又は管理データ信号及びセクタアドレスの時系列的合成信号記録領域では記録信号のトラック毎に極性が反転している場合があるので相関性を低減できる。
【００２３】
また、上記の目的を達成するため、本発明の記録媒体は、セクタアドレス及び管理データ信号と、２値のディジタル信号列とされた情報信号である、スクランブルされたユーザデータとからなるセクタ単位で螺旋状又は同心円状のトラックに信号記録が行われた記録媒体において、管理データ信号又は管理データ信号とセクタアドレスの極性を反転したときの第１のＤＳＶと、管理データ信号又は管理データ信号とセクタアドレスの極性を反転しないときの第２のＤＳＶのうち、絶対値が小さい方のＤＳＶに対応した管理データ信号又は管理データ信号とセクタアドレスに、少なくともユーザデータを時系列的に合成して生成された時系列的合成信号が、セクタ単位で前記トラックを形成して記録されていることを特徴とする。
【００２４】
この発明では、トラッキングへの悪影響を低減できると共に、隣接トラック間の管理データ信号記録領域、又は管理データ信号及びセクタアドレスの時系列的合成信号記録領域では記録信号のトラック毎に極性が反転している場合があるので相関性を低減できる。
【００２５】
【発明の実施の形態】
次に、本発明の実施の形態について図面と共に説明する。図１は情報信号記録装置の第１の参考例のブロック図を示す。同図中、図６（Ａ）と同一構成部分には同一符号を付してある。この参考例では、セクタの構成は図５に示したように、アドレス情報（セクタアドレス信号）Ｓ１と、管理情報（管理データ信号）Ｓ５と、ユーザ情報（ユーザデータ）Ｓ３とからなるものとする。ユーザデータＳ３は、２値のディジタル信号列とされた情報信号である。
【００２６】
図１において、信号を記録する場合、情報信号記録装置にはセクタアドレス信号Ｓ１、管理データ信号Ｓ５、ユーザデータＳ３の順で入力される。まず、セクタアドレス信号Ｓ１は、トラック位置判別手段４に入力され、ここで半径位置情報や１トラック中のセクタ数情報から記録しようとしているトラックの位置を判別する。そのトラック位置判別結果は、極性設定手段５により極性が所定の極性に設定される。情報反転制御手段６は、極性設定手段５により１トラック置きに、管理データ信号Ｓ５の極性を、極性設定手段５により極性が設定されない時の極性と異なる極性に制御する。従って、管理データ信号Ｓ５は、トラック毎に極性が反転する。
【００２７】
セクタアドレス信号Ｓ１は、スクランブル手段１にも入力され、ユーザデータＳ３をスクランブルするためのスクランブル信号Ｓ２が生成される。ユーザデータＳ３はスクランブル手段１において、上記のスクランブル信号Ｓ２と対応するビット同士で排他的論理和演算されてスクランブルされた後、加算器７に供給され、ここでセクタアドレス信号Ｓ１、トラック毎に極性が反転する情報反転制御手段６からの管理データ信号Ｓ５’と時系列的に合成され、図５のセクタ構成の記録信号Ｓ４が生成される。
【００２８】
記録信号Ｓ４は図示しない公知の記録手段により、光ディスク上に断続するピットの列の螺旋状又は同心円状のトラックを形成して記録される。これにより、光ディスク上の管理データ信号Ｓ５’の記録領域ではトラック毎に極性が反転している記録媒体が得られる。この記録媒体では隣接するトラックが管理データ信号Ｓ５’の記録領域ではトラック毎に極性が反転しているため、隣接トラック間の相互干渉が除去される。
【００２９】
なお、本参考例における記録媒体は、ＣＡＶ方式及びＣＬＶ方式のいずれでもよい。ＣＡＶ方式の場合は隣接トラックの管理データ信号記録領域が完全に隣接するので最も有効であるが、ＣＬＶ方式の場合でも一部の隣接トラックでは、管理データ信号記録領域は一部が隣接するので、本参考例は有効である（後述する本発明の各実施の形態でもＣＡＶ方式及びＣＬＶ方式のいずれでもよい。）。
【００３０】
次に、第２の参考例について説明する。図２は情報信号記録装置の第２の参考例のブロック図を示す。同図中、図１と同一構成部分には同一符号を付し、その説明を省略する。この実施の形態では、セクタの構成は図５に示したように、アドレス情報（セクタアドレス信号）Ｓ１と、管理情報（管理データ信号）Ｓ５と、ユーザ情報（ユーザデータ）Ｓ３とからなるものとする。
【００３１】
図２において、セクタアドレス信号Ｓ１は、スクランブル手段１に入力されてスクランブル信号に変換された後ユーザデータＳ３をスクランブルし、また、トラック位置判別手段４に入力されて記録しようとしているトラックの位置を判別し、更に、加算器８に供給されて管理データ信号Ｓ５と時系列的に合成される。
【００３２】
加算器８から出力されたセクタアドレス信号Ｓ１及び管理データ信号Ｓ５は、情報反転制御手段６に供給され、ここで極性設定手段５により１トラック置きに極性が反転された後、加算器７に供給され、スクランブル手段１からのスクランブルされたユーザデータＳ３と時系列的に合成されて図５に示したセクタ構成の記録信号Ｓ４’とされる。
【００３３】
この記録信号Ｓ４’は図示しない公知の記録手段により、光ディスク上に断続するピットの列の螺旋状又は同心円状のトラックを形成して記録される。これにより、光ディスク上の隣接するトラックの管理データ信号Ｓ５及びセクタアドレス信号Ｓ１の記録領域ではトラック毎に極性が反転している第２の参考例の記録媒体が得られる。
【００３４】
この参考例では、隣接するトラックの管理データ信号Ｓ５及びセクタアドレス信号Ｓ１の記録領域ではトラック毎に極性が反転しているため、隣接トラック間の相互干渉が除去される。セクタアドレス信号Ｓ１は、連続したセクタに対して１ずつ加算されているため、隣接したトラックではセクタアドレス信号Ｓ１のより上位バイトは一致することになり、トラック毎に反転することは隣接トラック間の相互干渉を減少することになり、有効である。
【００３５】
次に、本発明の第１の実施の形態について説明する。図３は本発明になる情報信号記録装置の第１の実施の形態のブロック図を示す。同図中、図１と同一構成部分には同一符号を付し、その説明を省略する。この実施の形態は、セクタの構成は図５に示したように、アドレス情報（セクタアドレス信号）Ｓ１と、管理情報（管理データ信号）Ｓ５と、ユーザ情報（ユーザデータ）Ｓ３とからなるものとする。
【００３６】
図３において、管理データ信号Ｓ５は情報反転手段１２に供給される一方、極性が反転しない場合のＤＳＶ（Digital Sum Value）を計算するために第１のＤＳＶ計算手段９及び信号選択手段１１にそれぞれ供給される。管理データ信号Ｓ５は情報反転手段１２により極性が反転されて管理データ信号Ｓ５’とされた後、第２のＤＳＶ計算手段１０及び信号選択手段１１にそれぞれ供給される。
【００３７】
ここで、ＤＳＶ計算手段９及び１０の動作を簡単に説明するに、ＤＳＶ計算手段９及び１０は加算器７から出力される記録信号Ｓ４”が共通に入力され、その記録信号Ｓ４”が入力されてから管理データ信号Ｓ５、Ｓ５’が入力され終った時点までのＤＳＶが計算される。すなわち、ＤＳＶ計算手段９は管理データ信号Ｓ５が入力される直前までの記録信号Ｓ４”のＤＳＶに、入力される管理データ信号Ｓ５のＤＳＶを加えて計算し、ＤＳＶ計算手段１０は管理データ信号Ｓ５が入力される直前までの記録信号Ｓ４”のＤＳＶに、情報反転手段１２からの極性反転管理データ信号Ｓ５’のＤＳＶを加えて計算するので、両者の間には極性反転されていない管理データ信号Ｓ５のＤＳＶと極性反転されている管理データ信号Ｓ５’のＤＳＶの差が生じる。
【００３８】
このＤＳＶの値は、周知のように、変調波信号の直流成分を評価する一つの指標であって、波形のハイレベルを＋１、ローレベルを−１としたときの合計値である。このＤＳＶの値は小さい方が信号の直流成分が少なく、サーボなどへの悪影響が小さく望ましいことが知られている。
【００３９】
次に、管理データ信号Ｓ５、Ｓ５’が入力されると、前述したようにＤＳＶ計算手段９は管理データ信号Ｓ５が入力される直前までの記録信号Ｓ４”のＤＳＶに、入力される管理データ信号Ｓ５のＤＳＶを加えて計算し、ＤＳＶ計算手段１０は管理データ信号Ｓ５が入力される直前までの記録信号Ｓ４”のＤＳＶに、情報反転手段１２からの極性反転管理データ信号Ｓ５’のＤＳＶを加えて計算し、その計算結果をＤＳＶデータ信号Ｓ６、Ｓ６’として信号選択手段１１に出力する。信号選択手段１１は、ＤＳＶ計算手段９及び１０からのＤＳＶデータ信号Ｓ６及びＳ６’を比較して、ＤＳＶの絶対値がより小さい方の管理データ信号Ｓ５又はＳ５’を選択出力する。
【００４０】
セクタアドレス信号Ｓ１は、スクランブル手段１に入力されてスクランブル信号に変換された後ユーザデータＳ３をスクランブルする。スクランブルされたユーザデータＳ３は加算器７に供給され、ここでセクタアドレス信号Ｓ１と信号選択手段１１で選択された管理データ信号Ｓ５又はＳ５’と時系列的に合成されて図５のセクタ構成の記録信号Ｓ４"が生成される。
【００４１】
記録信号Ｓ４”は図示しない公知の記録手段により、光ディスク上に断続するピットの列の螺旋状又は同心円状のトラックを形成して記録される。これにより、光ディスク上の隣接するトラックが管理データ信号の記録領域では、管理データ信号の極性を反転させるとＤＳＶの絶対値が小さい場合はトラック毎に極性が反転している第１の実施の形態の記録媒体が得られる。この記録媒体では隣接するトラックが管理データ信号の記録領域では管理データ信号の極性を反転させるとＤＳＶの絶対値が大きいときには極性が反転していないので、第１及び第２の参考例に比べて隣接トラック間での相関性を除去する能力は落ちるが、ＤＳＶが小さい方の管理データ信号を記録するようにしているので、記録信号スペクトラムの低域成分を抑制して、サーボなどへの悪影響を極力抑えることができる効果が得られる。
【００４２】
次に、本発明の第２の実施の形態について説明する。図４は本発明になる情報信号記録装置の第２の実施の形態のブロック図を示す。同図中、図３と同一構成部分には同一符号を付し、その説明を省略する。この実施の形態も、セクタの構成は図５に示したように、アドレス情報（セクタアドレス信号）Ｓ１と、管理情報（管理データ信号）Ｓ５と、ユーザ情報（ユーザデータ）Ｓ３とからなるものとする。
【００４３】
図４において、管理データ信号Ｓ５とセクタアドレス信号Ｓ１とは加算器８において時系列的に合成された後、ＤＳＶ計算手段９及び信号選択手段１１にそれぞれ供給される一方、情報反転手段１２に供給されて極性が反転されてからＤＳＶ計算手段１０及び信号選択手段１１にそれぞれ供給される。
【００４４】
信号選択手段１１は、第１の実施の形態と同様に、ＤＳＶ計算手段９により計算されたＤＳＶを示すＤＳＶデータ信号Ｓ６と、ＤＳＶ計算手段１０により計算されたＤＳＶを示すＤＳＶデータ信号Ｓ６’を比較し、ＤＳＶの絶対値が小さい方に対応した管理データ信号及びセクタアドレス信号の合成信号を選択して加算器７へ出力する。
【００４５】
すなわち、信号選択手段１１は、ＤＳＶデータ信号Ｓ６の方がＳ６’よりもＤＳＶの絶対値が小さければ、加算器８から出力された管理データ信号Ｓ５とセクタアドレス信号Ｓ１の時系列合成信号で極性反転されていない信号を選択し、ＤＳＶデータ信号Ｓ６’の方がＳ６よりもＤＳＶの絶対値が小さければ、情報反転手段１２から出力された管理データ信号Ｓ５とセクタアドレス信号Ｓ１の時系列合成信号で、かつ、極性反転されている信号を選択する。加算器７は信号選択手段１１により選択された時系列合成信号と、スクランブル手段１によりスクランブルされたユーザデータとを時系列的に合成して記録信号Ｓ４'''を生成する。
【００４６】
記録信号Ｓ４'''は図示しない公知の記録手段により、光ディスク上に断続するピットの列の螺旋状又は同心円状のトラックを形成して記録される。これにより、光ディスク上の隣接するトラックが管理データ信号及びセクタアドレス信号の記録領域では、管理データ信号及びセクタアドレス信号の時系列合成信号の極性を反転させると、ＤＳＶの絶対値が小さい場合は、トラック毎に極性が反転している第２の実施の形態の記録媒体が得られる。
【００４７】
この記録媒体では隣接するトラックが管理データ信号及びセクタアドレス信号の記録領域では、管理データ信号及びセクタアドレス信号の時系列合成信号の極性を反転させると、ＤＳＶの絶対値が大きいときにはトラック毎に管理データ信号及びセクタアドレス信号の時系列合成信号の極性が反転していないので、第１及び第２の参考例に比べて隣接トラック間での相関性を除去する能力は落ちるが、ＤＳＶが小さい方の管理データ信号及びセクタアドレス信号を記録するようにしており、また第１の実施の形態に比べてセクタアドレス信号についても管理データ信号と同様の処理を行っているので、第１の実施の形態に比べてより一層、記録信号スペクトラムの低域成分を抑制して、サーボなどへの悪影響を極力抑えることができる効果が得られる。
【００４８】
なお、本発明は上記の実施の形態に限定されるものではなく、例えば、記録媒体は磁気記録媒体等、光学式記録媒体以外の記録媒体にも本発明を適用することができる。
【００５０】
【発明の効果】
以上説明したように、本発明によれば、管理データ信号又は管理データ信号とセクタアドレスの極性を反転したときの第１のＤＳＶと、管理データ信号又は管理データ信号とセクタアドレスの極性を反転しないときの第２のＤＳＶとを比較し、絶対値が小さい方のＤＳＶに対応した管理データ信号又は管理データ信号とセクタアドレスを選択してユーザデータと共に記録することにより、変調信号スペクトラムの低域成分を減少することができるため、サーボなどへの悪影響を低減できる。
【図面の簡単な説明】
【図１】  第１の参考例のブロック図である。
【図２】  第２の参考例のブロック図である。
【図３】  本発明の第１の実施の形態のブロック図である。
【図４】  本発明の第２の実施の形態のブロック図である。
【図５】  記録信号のセクタ構造の一例を示す図である。
【図６】  スクランブル手段の一例の説明図である。
【符号の説明】
１  スクランブル手段
４  トラック位置判別手段
５  極性設定手段
６  情報反転制御手段
７、８  加算器
９、１０  ＤＳＶ計算手段
１１  信号選択手段
１２  情報反転手段
Ｓ１  セクタアドレス信号
Ｓ２  スクランブル信号
Ｓ３  ユーザデータ
Ｓ４、Ｓ４’、Ｓ４”、Ｓ４'''  記録信号
Ｓ５、Ｓ５’  管理データ信号
Ｓ６、Ｓ６’  ＤＳＶデータ信号
【図１】
0004103323.tif 000002
【図２】
0004103323.tif 000003
【図３】
0004103323.tif 000004
【図４】
0004103323.tif 000005
【図５】
0004103323.tif 000006
【図６】
0004103323.tif 000007